(57)【要約】【課題】  本考案は、降雨等での増水時にその増加分の流水が自動的にバイパス水路へと流れる事で、安全性の確保と、環境の大きな変化を抑え自然環境の復元する事を目的とした親水水路である。【解決手段】  本考案は、ゆっくりとした流れでないと流れることの出来ない大きくＵターンして続く本流ルートと、直線的に続くが一定以上の流れのスピードがなければ乗り越えることの出来ない上り勾配の水返し面を経て続くバイパスルートに分岐させる会所により、本流を親水水路に続ける事で親水水路の急激且つ極端な水量増加を防ぐ。バイパスルートは地下埋設、フェンスで囲う等の十分な安全を確保した上で親水水路に平行して設ける。又、親水水路の要所にオーバーフロー用の取水口を設けあふれた水をバイパスに引き込む事によりより一層水位の上昇を抑える事が出来る。増加方向での水量の安定により親水水路の安全性は格段に上昇し、動植物の流出の減少により自然環境を安定させることが出来る。【選択図】  図１
0003104879.tif 000002
【実用新案登録請求の範囲】
【請求項１】
水量の増加に伴い、自動的に増加水流を別経路に導く会所の構造。
【請求項２】
請求項１によって、降雨による急激な水量増加を起こさない、安全面、動植物の生存にとっての環境面の安定した親水水路。
【考案の詳細な説明】
【技術分野】
【０００１】  本考案は水量の増加に伴い、自動的に増加水流を別経路に導く会所により、水路を親水目的の本流と降雨時の増加水流用のバイパス系統に分けた水路である。
【背景技術】
【０００２】  親水目的に整備された水路であっても、降雨により急激な水量増加により非常に危険な常態になると共に、動植物が流されてしまい自然環境を整えるにも限界があった。
【考案が解決しようとする課題】
【０００３】  その水路の平均的水量時に流れる本流と、降雨時の増加水流が流れるバイパス系統を分けることにより、降雨があっても急激且つ極端な水量増加を起こさない構造とし問題を解決する。
【課題を解決するための手段】
【０００４】  平均的水量時には緩やかに流れるような勾配に設計された水路を本考案の会所に導く。会所内で水路は二系統に分けられ、親水水路へと続く本流には大きくＵターンする形と緩やかな下り勾配で接続させ、一方増水用のバイパスには直線的に上り勾配で接続させる。増水し流れの速度を増した水流は本流方向に流れを変えることが出来ず直線的にバイパス方向に流れ、この傾向は水量を増せば増すほど強くなる。したがって水路本流は増水時にも急激且つ極端な水量増加を起こさない構造を得ることが出来る。また、本流の親水水路が一定以上の水量になった場合でもオーバーフロー分をバイパスに引き込む取水口を設けることでより一層本流の水量増加を安定して制御出来る。
【考案の効果】
【０００５】  たとえ親水目的で整備された水路でさえ、降雨時には急激に水量を増し大変危険であった。またその際、動植物等自然環境の受けるダメージも少なくなかった。しかし、本考案により水量増加に対しての制御が自動的に行われ、親水水路を安全で自然環境の整ったものとすることが出来る。
【考案の実施するための最良の形態】
【０００６】  まず緩やかな流れで会所に流れを導く。会所内では水路は二系統に分けられる。親水水路へと続く本流は会所内で緩やかな下り勾配を保ったまま大きくＵターンさせる形で迂回させ接続し、増水時のバイパスへと続く経路は会所に流れ込んだ方向を直線的に延長接続させる。ただし、本流に流す計画範囲の水量での流れの勢いでは乗り越えることの出来ない程度の上り勾配を付ける。結果、計画範囲内の水量の場合は本流のみに水は流れ、降雨時などの計画範囲を超える部分の水量の殆どはバイパスに流れることとなる。また、それでも増水した水のオーバーフロー分は要所に設けた取水口から、フェンスで覆う、地下に埋設する等の十分な安全対策を施し、本流に平行する形で設置されたバイパス水路へと引き込む事で水量増加をより一層制御する。
【実施例】
【０００７】  以下、添付図面に従って一実施例を説明する。図１中の既存水路１はまず本考案の会所２に接続される。水量の少ない時は会所内のたまり３に溜まった水は、上り勾配の水返し面５を乗り越えることが出来ず、水路４を通り集水桝７を経て親水水路８へと流れる。一方、降雨時当の水量増加時では水流は速度を増し水路４方向に流れの向きを変えることが出来ず、直線的に水返し面５を乗り越えてバイパス水路６へと流れるようになる。この傾向は水量が増え水流の勢いが増すほど強くなるので、親水水路の水量は全体の水量が極端に増加した時でも人に危険が及ぶほどの増水を伴わずに済むことが出来る。又、要所に設置したオーバーフロー用の取水口９により、一定水位以上に増水した水をバイパス水路に引き込むことにより親水水路の氾濫を防ぐ。親水水路を通過した後流れは集水桝１０から水路１１を経てバイパス水路と合流し既存水路１２へと流れる。【０００８】  本考案により水量と水流の速度の安定した親水水路を得ることが出来、その結果従来では増水時の水路氾濫等を考慮した結果、出来る限り流れの抵抗となるものをなくすために直線的にならざるを得なかった水路を、湾曲させたりよどみを作ったり植物を植える等自然環境を復元することが出来る。
【図面の簡単な説明】
【０００９】
【図１】本考案の実施例を示す平面図である。
【図２】Ａから見た断面図である。
【符号の説明】
【００１０】  １  既存水路
２  水流分岐会所
３  たまり
４  本流迂回水路
５  水返し面
６  バイパス水路
７  集水桝
８  親水水路
９  オーバーフロー用取水口
１０  集水桝
１１  本流接続用水路
１２  既存水路
【図１】
0003104879.tif 000003
【図２】
0003104879.tif 000004
【手続補正書】
【提出日】平成15年11月1日(2003.11.1)
【手続補正１】
【補正対象書類名】実用新案登録請求の範囲
【補正対象項目名】全文
【補正方法】変更
【補正の内容】
【実用新案登録請求の範囲】
【請求項１】
当考案の会所は鉄筋コンクリート等の十分な強度を持つもので作られ、基本的な形は平面的には四角形で構成される。一辺は上流側水路の流れの方向に対し直交する様に配置され、上流から直線的に設置された水路が接続する取水口と本流となる親水水路に続く排水口を設ける。上流側から下流側を見て左右の辺は垂直に立ち上がった壁だけで構成する。残る下流側の辺は全面がバイパス水路への排水口となり、上流水路の延長上にその深さ、幅以上の規模のバイパス水路が接続される。深さは想定最大水量等を考慮した十分なものとし、底面には上流水路の流れに直行する形で、緩やかな勾配のスロープで作られたＶ字若しくはＵ字型の溝を会所の幅一杯に設置し、その親水水路への排水口側端分は上流側に９０度曲げられ親水水路排水口へと緩やかな下り勾配で段差なく接続される。また、この溝の下流側高さは、親水水路の最大安全水量時の水位の高さとし、それを頂点としてバイパス水路へと下り勾配で続く。
等考案はこれらの構成を特徴とする会所である。
【請求項２】
請求工１の会所から導かれた親水水路は段差を作ることせずごく緩やかな流れで護岸等は石や土等の自然物で作り、流れによどみや植栽を配置し自然環境を再現し、地下部若しくは平行して設置したバイパス水路へと合流する。また、親水水路の要所には排水口を設けオーバーフローした水は速やかにバイパス水路に導く。
等考案はこれらの構成を特徴とする親水水路である。
【手続補正書】
【提出日】平成16年2月8日(2004.2.8)
【手続補正１】
【補正対象書類名】実用新案登録請求の範囲
【補正対象項目名】全文
【補正方法】変更
【補正の内容】
【実用新案登録請求の範囲】
【請求項１】
当考案の会所は鉄筋コンクリート等の十分な強度を持つもので作られ、その構成は
（１）基本的な形は平面的には四角形で構成される。
（２）一辺は上流側水路の流れの方向に対し直交する様に配置され、上流から直線的に設      置された水路が接続する取水口と本流となる親水水路に続く排水口を設ける。
（３）上流側から下流側を見て左右の辺は垂直に立ち上がった壁だけで構成する。
（４）残る下流側の辺は全面がバイパス水路への排水口となり、上流水路の延長上にその      深さ、幅以上の規模のバイパス水路が接続される。
（５）深さは想定最大水量等を考慮した十分なものとし、底面には上流水路の流れに直行      する形で、緩やかな勾配のスロープで作られたＶ字若しくはＵ字型の溝を会所の幅      一杯に設置し、その親水水路への排水口側端分は上流側に９０度曲げられ親水水路      排水口へと緩やかな下り勾配で段差なく接続され、その溝の下流側高さは、親水水      路の最大安全水量時の水位の高さとし、それを頂点としてバイパス水路へと下り勾      配で続く。
以上の構成から名あることを特徴とする会所である。
【請求項２】
請求工１の会所から導かれた親水水路は段差を作ることせずごく緩やかな流れで護岸等は石や土等の自然物で作り、流れによどみや植栽を配置し自然環境を再現し、地下部若しくは平行して設置したバイパス水路へと合流し、且つ、親水水路の要所には排水口を設けオーバーフローした水は速やかにバイパス水路に導く。
等考案はこれらの構成を特徴とする親水水路である。
【手続補正２】
【補正対象書類名】図面
【補正対象項目名】図３
【補正方法】追加
【補正の内容】
【図３】
0003104879.tif 000005
【手続補正３】
【補正対象書類名】明細書
【補正対象項目名】０００９
【補正方法】変更
【補正の内容】
【０００９】
【図１】  本考案の実施例を示す平面図である。
【図２】  Ａから見た断面図である。
【図３】  本考案の実施例を示す斜視図である。